(57)【要約】  本発明は、紫外線や短波長の可視光線を効率的に可視光線に変換し、更に、変換された可視光線を効率的に装置外に取り出すことができる発光装置を提供するものであり、上端面に開口する凹部を有した基体と、前記凹部の底面に実装され、紫外線又は短波長の可視光線を発するＬＥＤ素子と、前記ＬＥＤ素子の光射出面側からこの順に配設された、紫外線及び短波長の可視光線を透過してより長波長の可視光線を反射する短波長透過フィルタ、蛍光体を含有する波長変換部材、及び、より長波長の可視光線を透過して紫外線及び短波長の可視光線を反射する長波長透過フィルタと、を備えており、前記短波長透過フィルタが前記ＬＥＤ素子を前記凹部内に気密的に封ずるように前記基体と密接しているものである。
2011004795.tif 000002
【特許請求の範囲】
【請求項１】
上端面に開口する凹部を有した基体と、
前記凹部の底面に実装され、紫外線又は短波長の可視光線を発するＬＥＤ素子と、
前記ＬＥＤ素子の光射出面側からこの順に配設された、紫外線及び短波長の可視光線を透過してより長波長の可視光線を反射する短波長透過フィルタ、蛍光体を含有する波長変換部材、及び、より長波長の可視光線を透過して紫外線及び短波長の可視光線を反射する長波長透過フィルタと、を備えており、
前記短波長透過フィルタが前記ＬＥＤ素子を前記凹部内に気密的に封ずるように前記基体と密接していることを特徴とする発光装置。
【請求項２】
前記ＬＥＤ素子が、４９０ｎｍ以下に放射ピークを有するものである請求項１記載の発光装置。
【請求項３】
前記短波長透過フィルタと前記長波長透過フィルタとが、電磁波の反射率と透過率との高低が逆転する境界を、前記ＬＥＤ素子の放射ピーク波長より１０ｎｍ以上大きく、かつ、５００ｎｍ以下の波長領域に有する誘電体多層膜である請求項１記載の発光装置。
【請求項４】
前記蛍光体は、赤色光を発する蛍光体、緑色光を発する蛍光体、及び、青色光を発する蛍光体である請求項１記載の発光装置。
【発明の詳細な説明】
【技術分野】
【０００１】
本発明は、紫外線や短波長の可視光線を、効率的により長波長の可視光線に変換し、更に、変換された可視光線を効率的に取り出すことができ、かつ、耐湿性及び放熱性にも優れた発光装置に関するものである。
【背景技術】
【０００２】
従来、紫外線や短波長の可視光線を発するＬＥＤ素子と種々の蛍光体とを組み合わせることにより、白色をはじめとするＬＥＤ素子の発光色とは異なる色の光を発する発光装置が開発されている（特許文献１）。このような、ＬＥＤ素子を用いた発光装置は、小型、省電力、長寿命等の長所があり、表示用光源や照明用光源として広く用いられている。【０００３】
このような発光装置としては、例えば、凹部が形成された基体の前記凹部内にＬＥＤ素子が実装され、ＬＥＤ素子を覆う封止層と蛍光体層とがこの順に積層しているものが挙げられる。この発光装置において、ＬＥＤ素子が発した紫外線や短波長の可視光線の大部分は蛍光体を励起してより長波長の可視光線に変換されるが、一部が蛍光体に吸収されず（可視光線に変換されず）にそのまま蛍光体層を透過することがある。この場合、ＬＥＤ素子から発した紫外線や短波長の可視光線のより長波長の可視光線への変換効率が低下するため、発光装置の発光効率が低下する。また、可視光線に変換されずに蛍光体層を透過した紫外線が発光装置外に放射されると、人体等に悪影響が及ぶ場合もある。【０００４】
一方、ＬＥＤ素子が発した紫外線や短波長の可視光線により励起された蛍光体が発する可視光線のうち、ＬＥＤ素子が実装されている基体に向かったものは、当該基体に吸収されてしまい、発光装置外に取り出すことができない。このため、この要因によっても、発光装置の発光効率が低下する。【０００５】
また、ＬＥＤ素子は従来の光源に比べて極めて長い寿命を有するため、基体やその内面に形成されたリフレクタは可視光線に長時間曝されることとなる。このように可視光線に長時間曝された基体等は劣化して変色する。すると、発光装置の発光色にも影響が及ぶ。【０００６】
ところで、特許文献２には、蛍光体層の下に高屈折率層を設けることにより、可視光線の取り出し効率を向上させることが開示されている。しかしながら、このような構成では、封止層への光の進行を防ぐことはできるが、一旦高屈折率層内に進行した光を再度蛍光体層に取り出すことは難しい。【０００７】
また、特許文献３には、ＬＥＤ素子が発した励起光に対する反射率が、蛍光体が発した蛍光に対する反射率よりも低い第１光学フィルタを、ＬＥＤ素子と蛍光体との間に配置し、反射体凹部に形成された反射面と第１光学フィルタとの間に開口部を設けることが開示されている。しかしながら、このような開口部が設けられていると、蛍光体が発した蛍光のうち一部は、当該開口部を通って凹部底面側に進行し、凹部底面側に進行した蛍光のほとんどは、第１光学フィルタが障壁となり発光装置外に取り出すことができなくなる。このため、発光装置の発光効率低下が招かれる。
【先行技術文献】
【特許文献】
【０００８】
【特許文献１】特開２００５−１９１１９７号公報
【特許文献２】特開２００７−２７７５１号公報
【特許文献３】特開２００５−２９４２８８号公報
【発明の概要】
【発明が解決しようとする課題】
【０００９】
本発明はかかる問題点に鑑みなされたものであって、紫外線や短波長の可視光線を、効率的により長波長の可視光線に変換し、更に、変換された可視光線を効率的に装置外に取り出すことができる発光装置を提供することをその主たる所期課題としたものである。
【課題を解決するための手段】
【００１０】
すなわち本発明に係る発光装置は、上端面に開口する凹部を有した基体と、前記凹部の底面に実装され、紫外線又は短波長の可視光線を発するＬＥＤ素子と、前記ＬＥＤ素子の光射出面側からこの順に配設された、紫外線及び短波長の可視光線を透過してより長波長の可視光線を反射する短波長透過フィルタ、蛍光体を含有する波長変換部材、及び、より長波長の可視光線を透過して紫外線及び短波長の可視光線を反射する長波長透過フィルタと、を備えており、前記短波長透過フィルタが前記ＬＥＤ素子を前記凹部内に気密的に封ずるように前記基体と密接していることを特徴とする。なお、短波長の可視光線としては、例えば、紫色光、青色光、緑色光等が挙げられ、紫外線には近紫外線が含まれる。【００１１】
このようなものであれば、蛍光体を含有する波長変換部材が、短波長透過フィルタと長波長透過フィルタとに挟まれていることより、前記波長変換部材を透過した紫外線や短波長の可視光線は、前記長波長透過フィルタで反射して再度前記波長変換部材内を進行する。このため、紫外線や短波長の可視光線が蛍光体を励起してより長波長の可視光線に変換される確率を向上して、発光量を増加することができる。一方、前記ＬＥＤ素子が発した紫外線や短波長の可視光線により励起された前記蛍光体が発する可視光線のうち、前記ＬＥＤ素子が実装された基体に向かって進行したものは、前記短波長透過フィルタで反射して、進行方向を変えて前記長波長透過フィルタに向かい、当該フィルタを透過して装置外に射出される。従って、本発明によれば、紫外線や短波長の可視光線を、効率的により長波長の可視光線に変換し、更に、変換された可視光線を効率的に装置外に取り出すことができる。【００１２】
また、前記波長変換部材は、前記フィルタへのポッティング塗布や、ダイコーティングやインクジェット方式による印刷により、前記ＬＥＤ素子が実装された基体とは別体として別工程により製造することが可能である。このため、前記波長変換部材の厚みの管理が容易になる。更に、波長と光強度が予め定められた基準光源を使用して、前記波長変換部材の発光色や照度等を測定し、その結果に従い前記波長変換部材を分類・管理し、所望の発光色や照度等を有するものを選び出して、適合するＬＥＤ素子と組み合わせて所期の性能を有する発光装置を作製することができるので、最終製品である発光装置の発光色や照度等のバラツキを極力抑えることができる。【００１３】
更に、前記ＬＥＤ素子が実装された基体に向かって進行した可視光線は、前記短波長透過フィルタで反射されるので、基体に到達する可視光線が減って、基体の経時劣化が抑制され、延いては、発光装置の発光色の変化も抑制される。【００１４】
また、本発明では、前記短波長透過フィルタが前記基体と密接しているので、前記短波長透過フィルタが、前記波長変換部材等の熱を前記基体に伝達して放熱（冷却）作用を発揮し、前記波長変換部材中の蛍光体が熱劣化することに起因する発光装置の発光色の変化を良好に抑制することができる。【００１５】
更に、本発明では前記短波長透過フィルタが前記凹部内を気密的に封じているので、前記凹部内への気体の侵入を抑制することができ、前記凹部の内面に金属薄膜からなるリフレクタが形成されていても、当該金属薄膜の酸化、硫化、塩化等による腐食等を防止することができる。また、前記短波長透過フィルタは防水機能も発現しうる。【００１６】
これに対して、特許文献３に記載の発光装置では、反射体の凹部反射面と第１光学フィルタとの間には間隙（開口部）が存在しているので、蛍光体の熱が第１光学フィルタに伝わっても、それを反射体に伝導することができない。このため、特許文献３に記載の発光装置は放熱性能に劣り、蛍光体の熱劣化に起因する発光色の変化が起こりやすいと考えられる。また、特許文献３に記載の発光装置では、前記間隙（開口部）から凹部内に気体や水分が侵入するので、反射面が金属薄膜からなる場合、当該金属薄膜が腐食等する恐れがある。【００１７】
前記ＬＥＤ素子としては、具体的には、４９０ｎｍ以下に放射ピークを有するものが好適に用いられ、より好ましくは３６０〜４３０ｎｍの近紫外領域に放射ピークを有するものである。【００１８】
前記短波長透過フィルタと前記長波長透過フィルタとは、具体的には、電磁波の反射率と透過率との高低が逆転する境界を、前記ＬＥＤ素子の放射ピーク波長より１０ｎｍ以上大きく、かつ、５００ｎｍ以下の波長領域に有する誘電体多層膜であることが好ましく、より好ましくは４４０ｎｍ以下の波長領域に境界を有する誘電体多層膜である。誘電体多層膜は、金属酸化物等の誘電体のなかでも透明性の高い物質からなる薄膜から、屈折率の異なる２つ以上のものを選択して積層してなるものであり、熱伝導性にも優れるものである。【００１９】
本発明に係る発光装置が白色光を発するものである場合、前記蛍光体は、赤色光を発する蛍光体（以下、赤色蛍光体という。）、緑色光を発する蛍光体（以下、緑色蛍光体という。）、及び、青色光を発する蛍光体（以下、青色蛍光体という。）であることが好ましい。
【発明の効果】
【００２０】
このような本発明によれば、紫外線や短波長の可視光線を、効率的により長波長の可視光線に変換し、更に、変換された可視光線を効率的に装置外に取り出すことができる。また、本発明によれば、発光装置の耐湿性及び放熱性を向上することもできる。
【図面の簡単な説明】
【００２１】
【図１】本発明の一実施形態に係る発光装置の模式的縦断面図である。
【図２】同実施形態における短波長透過フィルタの透過率及び反射率の概要を示すグラフである。
【図３】同実施形態における長波長透過フィルタの透過率及び反射率の概要を示すグラフである。
【図４】同実施形態に係る発光装置の一部の光路を示す光路説明図である。
【図５】他の実施形態に係る発光装置の模式的縦断面図である。
【図６】他の実施形態に係る発光装置の模式的縦断面図である。
【図７】他の実施形態に係る発光装置の模式的縦断面図である。
【図８】他の実施形態における長波長透過フィルタの透過率及び反射率の概要を示すグラフである。
【図９】他の実施形態における波長変換部材の模式的平面図である。
【図１０】他の実施形態における波長変換部材の模式的縦断面図である。
【発明を実施するための形態】
【００２２】
以下に本発明の一実施形態について図面を参照して説明する。
【００２３】
本実施形態に係る発光装置１は、図１に示すように、上端面２１に開口する凹部２２を有した基体２と、凹部２２の底面２２１に実装されたＬＥＤ素子３と、ＬＥＤ素子３を封止する透光性部材４と、透光性部材４の上にこの順に積層された短波長透過フィルタ５、波長変換部材６及び長波長透過フィルタ７と、を備えたものである。
【００２４】
各部を詳述する。
基体２は、上端面２１に開口する凹部２２を有するものであり、例えば、アルミナや窒化アルミニウム等の熱伝導率が高い絶縁材料を成型してなるものが挙げられる。
【００２５】
基体２は、その凹部２２の底面２２１に後述するＬＥＤ素子３を実装するものであるが、当該底面２２１には、ＬＥＤ素子３が電気的に接続されるための配線導体（図示しない。）が形成されている。この配線導体が基体２内部に形成された配線層（図示しない。）を介して発光装置１の外表面に導出されて外部電気回路基板に接続されることにより、ＬＥＤ素子３と外部電気回路基板とが電気的に接続される。
【００２６】
基体２の凹部２２の側面２２２には段部２３が形成されており、当該段部２３の上端面に、その周縁部が載置されるように後述する短波長透過フィルタ５を配設することにより、短波長透過フィルタ５が基体２に対し、軸方向にも軸直交方向にも位置決めされるように構成してある。
【００２７】
更に、基体２の凹部２２の側面２２２及び底面２２１を含む内面には、銀、アルミニウム、金等の金属メッキ等が施されることにより高反射率の金属薄膜が形成されており、リフレクタとして機能している。後述する長波長透過フィルタ７で下方向に反射され、波長変換部材６と短波長透過フィルタ５とを透過した紫外線や可視光線を、当該金属薄膜により、再度、波長変換部材６に向かって反射することができる。
【００２８】
ＬＥＤ素子３は、紫外線や短波長の可視光線を発するものであり、例えば３６０〜４３０ｎｍに放射ピークを有するものである。このようなＬＥＤ素子３は、例えば、サファイア基板や窒化ガリウム基板の上に窒化ガリウム系化合物半導体がｎ型層、発光層及びｐ型層の順に積層したものである。
【００２９】
ＬＥＤ素子３は、窒化ガリウム系化合物半導体を下（凹部２２の底面２２１側）にして凹部２２の底面２２１に半田バンプや金バンプ等（図示しない。）を用いてフリップチップ実装されている。
【００３０】
透光性部材４は、凹部２２に充実されてＬＥＤ素子３を封止しており、例えば、透光性及び耐熱性に優れ、ＬＥＤ素子３との屈折率差が小さいシリコーン樹脂等からなるものである。このような透光性部材４が備わっていると、ＬＥＤ素子３からの光の取り出し効率が向上し、また、蛍光体６１の熱劣化を防止することができる。
【００３１】
短波長透過フィルタ５は、可視光線を反射して、紫外領域から近紫外領域の電磁波のみを選択的に透過するローパスフィルタであり、透光性部材４の上に設けられており、その周縁部は凹部２２の側面２２２と密接して、凹部２２内を気密的に封じている。短波長透過フィルタ５は、具体的には、例えば、図２に示すように、４３０ｎｍ近傍を境界として、電磁波の透過率と反射率とが逆転する誘電体多層膜である。このような誘電体多層膜は、例えばガラス基板等に膜材料を付着させることにより形成される。
【００３２】
波長変換部材６は、内部に蛍光体６１を含有しており、短波長透過フィルタ５の上に設けられている。このような波長変換部材６としては、例えば、透光性及び耐熱性に優れ、透光性部材４との屈折率差が小さいシリコーン樹脂中に蛍光体６１が分散しているものが挙げられるが、蛍光体６１が分散された未硬化のシリコーン樹脂を凹部２２に充填してなるものであってもよく、シート状に加工されたものを所定の寸法にカットして用いるものであってもよい。
【００３３】
波長変換部材６が含有する蛍光体６１としては特に限定されず、例えば、赤色蛍光体、緑色蛍光体、青色蛍光体、黄色蛍光体等が挙げられる。このうち、赤色蛍光体、緑色蛍光体及び青色蛍光体を併用すると、白色光を発する発光装置１を構成することができる。
【００３４】
青色光を発するＬＥＤ素子を用いて、当該青色光が黄色蛍光体から発した黄色光と混ざり合うように構成してある白色光の発光装置では、その発光装置の発光面において光路長の差に由来する色調むらが生じやすいことが知られている。これに対して、本実施形態に係る発光装置１のうち、蛍光体６１として、赤色蛍光体、緑色蛍光体及び青色蛍光体を併用したものでは、ＬＥＤ素子３が発した紫外線や短波長の可視光線によって励起された各蛍光体６１が発する赤色光、緑色光及び青色光が混ざり合って白色光が発せられるが、この際、ＬＥＤ素子３が発する紫外線や短波長の可視光線は、発光装置１の発光色である白色に実質的に影響しないため、上述のような色調むらを生じにくい。
【００３５】
そして、紫外線や短波長の可視光線を発するＬＥＤ素子３を用い、かつ、蛍光体６１として、赤色蛍光体、緑色蛍光体及び青色蛍光体を併用した発光装置１が発する混合光は、プランク軌跡上を移動するものであって、極めて太陽光に近い自然な白色となる。
【００３６】
長波長透過フィルタ７は、紫外領域から近紫外領域の電磁波を反射して、可視光線のみを選択的に透過するハイパスフィルタであり、波長変換部材６の上に設けられて、その周縁が凹部２２の側面２２２と接するように凹部２２の開口部を覆っている。長波長透過フィルタ７は、具体的には、例えば、図３に示すように、４３０ｎｍ近傍を境界として、電磁波の反射率と透過率とが逆転する誘電体多層膜である。このような誘電体多層膜は、例えばガラス基板等に膜材料を付着させることにより形成される。
【００３７】
このような実施形態に係る発光装置１であれば、図４に示すように、蛍光体６１を含有する波長変換部材６が、短波長透過フィルタ５と長波長透過フィルタ７とに挟まれていることより、波長変換部材６を透過した紫外線や短波長の可視光線Ｕは、長波長透過フィルタ７で反射して再度、波長変換部材６内を進行する。このため、紫外線や短波長の可視光線Ｕが蛍光体６１を励起して、より長波長の可視光線Ｖに変換される確率を向上して、発光量を増加することができる。一方、ＬＥＤ素子３が発した紫外線や短波長の可視光線Ｕにより励起された蛍光体６１が発する可視光線Ｖのうち、基体２に向かって進行したものは、短波長透過フィルタ５で反射して、進行方向を変えて長波長透過フィルタ７に向かい、当該フィルタ７を透過して装置１外に射出される。従って、発光装置１によれば、紫外線や短波長の可視光線Ｕを、効率的により長波長の可視光線Ｖに変換し、更に、変換された可視光線Ｖを効率的に装置１外に取り出すことができる。
【００３８】
また、波長変換部材６は、フィルタ５、７へのポッティング塗布や、ダイコーティングやインクジェット方式による印刷により、ＬＥＤ素子３が実装された基体２とは別体として別工程により製造することが可能である。このため、波長変換部材６の厚みの管理が容易になる。更に、波長と光強度が予め定められた基準光源を使用して、波長変換部材６の発光色や照度等を測定し、その結果に従い波長変換部材６を分類・管理し、所望の発光色や照度等を有するものを選び出して、適合するＬＥＤ素子３と組み合わせて所期の性能を有する発光装置１を作製することができるので、最終製品である発光装置１の発光色や照度等のバラツキを極力抑えることができる。
【００３９】
更に、基体２に向かって進行した可視光線Ｖは、短波長透過フィルタ５で反射されるので、基体２に到達する可視光線Ｖが減って、基体２の経時劣化が抑制され、延いては、発光装置１の発光色の変化も抑制される。
【００４０】
また、本発明では、短波長透過フィルタ５及び長波長透過フィルタ７の周縁が凹部２２の側面２２２と接しているので、これらフィルタ５、７が、波長変換部材６やＬＥＤ素子３から発した熱を基体２に伝導して放熱作用を発揮し、波長変換部材６中の蛍光体が熱劣化することに起因する発光装置１の発光色の変化を良好に抑制することができる。
【００４１】
特に本実施形態では、短波長透過フィルタ５及び長波長透過フィルタ７として、熱伝導性にも優れる誘電体多層膜を用いることにより、ＬＥＤ素子３や蛍光体６１から発した熱を効率的に基体２に伝達して装置外１に放出することができるので、蛍光体６１の熱劣化や、発光効率や輝度の低下を、より効果的に防ぐことができる。
【００４２】
また、透光性部材４や波長変換部材６を構成するシリコーン樹脂は気体透過率が高いが、本実施形態では短波長透過フィルタ５及び長波長透過フィルタ７が、凹部２２内への気体や水分の侵入を抑制することができるので、凹部２２の内面に形成された金属薄膜の酸化、硫化、塩化等による腐食等を防止することができる。
【００４３】
なお、本発明は前記実施形態に限られるものではない。
【００４４】
例えば、発光装置１は、図１に示す態様のものに限定されず、図５に示すように、長波長透過フィルタ７が凹部２２の開口部を覆うように基体２の上端面２１上に載置されていてもよく、又は、図６に示すように、短波長透過フィルタ５が凹部２２の開口部を覆うように基体２の上端面２１上に載置されていてもよい。
【００４５】
また、図７に示すように、長波長透過フィルタ７が凹部２２の開口部を覆うように基体２の上端面２１上に載置されるとともに、段部２３が複数段からなり、その下段の上端面上には短波長透過フィルタ５の周縁部が載置され、その上段の上端面は波長変換部材６の下面周縁部と接していてもよい。このような構成とすることにより、波長変換部材６から発した熱を、直接又は長波長透過フィルタ７及び短波長透過フィルタ５を介して、基体２へより効率的に伝導し放出することができるので、発光装置１の冷却効率を高めることができる。
【００４６】
また、長波長透過フィルタ７は、４３０ｎｍ近傍を境界として、電磁波の反射率と透過率とが逆転するものであれば、図３に示すような光学特性を有するものに限定されず、図８に示すような光学特性を有し、若干の紫外線や短波長の可視光線を透過するものであってもよい。このようなものであれば、紫色光により演色性を呈する必要がある場合や、放熱特性を向上させる必要がある場合、長波長透過フィルタ７で反射し基体２に吸収される紫外線や短波長の可視光線を減らし、基体２の劣化を抑制する必要がある場合等に有効である。
【００４７】
更に、波長変換部材６は、互いに異なる色の光を発する蛍光体６１が均一に分散されているものでなくともよく、互いに異なる色の光を発する蛍光領域が並設されているものであってもよい。すなわち、例えば図９に示すように、赤色蛍光体を含有する赤色蛍光領域Ｒ、緑色蛍光体を含有する緑色蛍光領域Ｇ、及び、青色蛍光体を含有する青色蛍光領域Ｂが横方向に並設されていれば、青色蛍光体が発した青色光や緑色蛍光体が発した緑色光が他の蛍光体６１に吸収されることがないのでエネルギー変換効率、光の取り出し効率を向上することができる。また、図１０に示すように、波長変換部材６において、赤色蛍光領域Ｒ、緑色蛍光領域Ｇ及び青色蛍光領域ＢがＬＥＤ素子３側からこの順で厚み方向に積層されていてもよい。
【００４８】
また、ＬＥＤ素子３は基体２に設けられた配線導体にワイヤボンディングを用いて接続されていてもよい。
【００４９】
更に、透光性部材４と、短波長透過フィルタ５と、波長変換部材６と、長波長透過フィルタ７とは、互いに接していなくともよく、その間に、例えば透光性放熱部材等が介在していてもよい。なお、当該透光性放熱部材としては、例えば、水晶、サファイア、ダイアモンド等の熱伝導率が高く透光性に優れた材料からなるものが挙げられる。また、前記透光性放熱部材は、長波長透過フィルタ７の上に設けられて凹部２２の開口部を覆うようにしてもよい。
【００５０】
その他、本発明は上記の各実施形態に限られず、本発明の趣旨を逸脱しない限り、前述した種々の構成の一部又は全部を適宜組み合わせて構成してもよい。
【産業上の利用可能性】
【００５１】
本発明に係る発光装置によれば、紫外線や短波長の可視光線を、より長波長の可視光線に効率的に変換して発光量を増大させ、更に、変換された可視光線を効率的に装置外に取り出すことができる。また、本発明に係る発光装置によれば、発光装置の耐湿性及び放熱性を向上することもできる。
【符号の説明】
【００５２】
１・・・発光装置
２・・・基体
３・・・ＬＥＤ素子
４・・・透光性部材
５・・・短波長透過フィルタ
６・・・波長変換部材
７・・・短波長透過フィルタ
【図１】
2011004795.tif 000003
【図２】
2011004795.tif 000004
【図３】
2011004795.tif 000005
【図４】
2011004795.tif 000006
【図５】
2011004795.tif 000007
【図６】
2011004795.tif 000008
【図７】
2011004795.tif 000009
【図８】
2011004795.tif 000010
【図９】
2011004795.tif 000011
【図１０】
2011004795.tif 000012
【国際調査報告】
2011004795.tif 000013
2011004795.tif 000014
2011004795.tif 000015
2011004795.tif 000016